(57)【要約】【課題】触覚差を感じ易い十分な高さの突起部を容易に形成することができ、しかも、突起部の強度及び耐久性にも優れる表示シートを提供すること。【解決手段】本発明は、突起部１ａを有する第１軟質シート層１と、該突起部１ａの内側に充填された固形充填材２と、第１軟質シート層１の裏面に積層された第２軟質シート層３と、該第２軟質シート層３の裏面に粘着剤１２を介して積層された離型材層４と、を備え、固形充填材２が第１軟質シート層１と第２軟質シート層３とにより各々独立して挟持されており、固形充填材２がポリウレタン樹脂、塩化ビニル樹脂、ポリエステル樹脂及びポリアミド樹脂からなる群より選ばれる少なくとも１種である表示シート１０である。【選択図】図１
2014167599.tif 000002
【特許請求の範囲】
【請求項１】
突起部を有する第１軟質シート層と、
該突起部の内側に充填された固形充填材と、
前記第１軟質シート層の裏面に接着剤を介して積層された第２軟質シート層と、
を備え、
前記固形充填材が前記第１軟質シート層と前記第２軟質シート層とにより各々独立して挟持されており、
前記固形充填材が、ポリウレタン樹脂、塩化ビニル樹脂、ポリエステル樹脂及びポリアミド樹脂からなる群より選ばれる少なくとも１種の樹脂からなる表示シート。
【請求項２】
前記第２軟質シート層の裏面に粘着剤を介して積層された離型材層を更に備える請求項１記載の表示シート。
【請求項３】
前記第１軟質シート層が透明であり、
前記第１軟質シート層の裏面には、表示模様印刷が施されている請求項１又は２に記載の表示シート。
【請求項４】
前記固形充填材が、前記突起部の内側に接着剤を介して充填されている請求項１〜３のいずれか１項に記載の表示シート。
【請求項５】
第１軟質シート層がポリウレタン樹脂又は塩化ビニル樹脂からなる請求項１〜４のいずれか１項に記載の表示シート。
【請求項６】
前記固形充填材が、円錐台状となっている請求項１〜５のいずれか１項に記載の表示シート。
【請求項７】
前記固形充填材が、側面がテーパーの延べ板状となっている請求項１〜５のいずれか１項に記載の表示シート。
【請求項８】
前記第２軟質シート層が、軟質アルミニウム薄板からなる請求項１〜７のいずれか１項に記載の表示シート。
【請求項９】
前記第２軟質シート層が、軟質塩化ビニル薄板からなる請求項１〜７のいずれか１項に記載の表示シート。
【請求項１０】
前記第１軟質シート層の表面には汚れ防止層が積層されている請求項１〜９のいずれか１項に記載の表示シート。
【請求項１１】
前記汚れ防止層がフッ素樹脂又はシリコーン樹脂からなる請求項１０記載の表示シート。
【請求項１２】
前記汚れ防止層が更にマット剤を含む請求項１１記載の表示シート。
【請求項１３】
請求項１〜１２のいずれか１項に記載の表示シートの製造方法であって、
第１軟質シートの裏面に、表示模様を印刷する印刷工程と、
印刷工程を経た第１軟質シートに突起部を形成して第１軟質シート層とする層形成工程と、
前記突起部に接着剤を付与し、該接着剤を介して固形充填材を充填する嵌合工程と、
第１軟質シート層の裏面に、接着剤を付与し、該接着剤を介して第２軟質シートを接着固定することにより第２軟質シート層を形成する層接着工程と、
前記第２軟質シート層の裏面に、粘着剤を付与し、該粘着剤を介して離型材を粘着することにより離型材層を形成する層粘着工程と、
を備える表示シートの製造方法。
【発明の詳細な説明】
【技術分野】
【０００１】
本発明は、表示シートに関し、更に詳しくは、道路に設置し、歩行者を案内又は誘導するための表示シートに関する。
【背景技術】
【０００２】
表示シートは、表面に突起部が設けられており、道路に設置される。
そして、歩行者は、表示シートの突起部の上を歩くことにより、滑って転ぶことを防止することができ、また、歩行者の中でも弱視者は、突起部と非突起部との触覚差により、道路の方向や目的物の位置を知ることができる。
【０００３】
ところで、表示シートとして、いわゆる点字シートが知られている。
例えば、点字シートとしては、ステンレス鋼板の上に釉薬層が形成され、該釉薬層に点字用の凸部が設けられたステンレス表示板（例えば、特許文献１又は２参照）、シート材押出しによる点字凸部からなる点字表示をシート表面に有し、該点字凸部に対応するシート材凹部をシート裏面に有し、該シート材凹部は裏面全面を面一に充填物で充填されている点字表示付ラベル（例えば、特許文献３参照）、点字や触知図のための凸部が形成された基板と、基板上に積層された釉薬顔料よりなる印刷層と、印刷層上に積層された透明釉薬層とを備える表示板（例えば、特許文献４参照）、表側に突起を形成したプラスチックシートの裏面側の窪みに硬化された紫外線硬化樹脂が充填されている点字付きシート（例えば、特許文献５参照）、透明の軟質シート層の表面に透明なハードコート層が形成され、且つ該ハードコート層側からエンボス加工が施され凹凸部が形成されている表示用貼付けシート（例えば、特許文献６参照）等が知られている。
【先行技術文献】
【特許文献】
【０００４】
【特許文献１】特開平１０−２７４９２９号公報
【特許文献２】特開２０００−３１７３９２号公報
【特許文献３】特開平１１−１２９６０５号公報
【特許文献４】特開２００３−１４０５５７号公報
【特許文献５】特開２００６−５３２４７号公報
【特許文献６】特開２００７−４７５１１号公報
【発明の概要】
【発明が解決しようとする課題】
【０００５】
しかしながら、特許文献１〜６に記載の表示シートは、手で触れるための点字用であるので、道路に設置して足で踏みつけられることには対応していない。すなわち、点字用の表示シートは、凸部が小さく、強度も不十分である。
具体的には、特許文献１〜４に記載の表示シートにおいては、凸部の形成がスクリーン印刷により行われるので、十分な高さの凸部を得ることが難しく、加工工程も多くなる欠点がある。
また、強度も十分とはいえず、例えば、歩行者が表示シートの上を歩く等して凸部に靴が衝突すると、凸部が破損する恐れがある。
【０００６】
特許文献５及び６に記載の点字用の表示シートにおいては、凹凸部の形成がエンボス加工により行われるので、これも凹凸部の凹凸差が十分とはいえず、特に、弱視者は、当該表示用貼付けシートの上を歩行しても、凸部と凹部との触覚差を感じ難いという欠点がある。
また、強度も十分とはいえず、歩行者が表示用貼付シートの上を歩行すると、凹凸部が平坦化してしまう恐れもある。
【０００７】
本発明は上記事情に鑑みてなされたものであり、触覚差を感じ易い十分な高さの突起部を容易に形成することができ、しかも、突起部の強度及び耐久性にも優れる表示シートを提供することを目的とする。
【課題を解決するための手段】
【０００８】
本発明者等は、上記課題を解決するため鋭意検討したところ、突起部の内側に固形充填材を充填すると共に、固形充填材を第１軟質シート層と第２軟質シート層とで挟持した構成とすることにより、意外にも、上記課題を解決し得ることを見出し、本発明を完成させるに至った。
【０００９】
本発明は、（１）突起部を有する第１軟質シート層と、該突起部の内側に充填された固形充填材と、第１軟質シート層の裏面に接着剤を介して積層された第２軟質シート層と、を備え、固形充填材が第１軟質シート層と第２軟質シート層とにより各々独立して挟持されており、固形充填材が、ポリウレタン樹脂、塩化ビニル樹脂、ポリエステル樹脂及びポリアミド樹脂からなる群より選ばれる少なくとも１種の樹脂からなる表示シートに存する。
【００１０】
本発明は、（２）第２軟質シート層の裏面に粘着剤を介して積層された離型材層を更に備える上記（１）記載の表示シートに存する。
【００１１】
本発明は、（３）第１軟質シート層が透明であり、第１軟質シート層の裏面には、表示模様印刷が施されている上記（１）又は（２）に記載の表示シートに存する。
【００１２】
本発明は、（４）固形充填材が、突起部の内側に接着剤を介して充填されている上記（１）〜（３）のいずれか１つに記載の表示シートに存する。
【００１３】
本発明は、（５）第１軟質シート層がポリウレタン樹脂又は塩化ビニル樹脂からなる上記（１）〜（４）のいずれか１つに記載の表示シートに存する。
【００１４】
本発明は、（６）固形充填材が、円錐台状となっている上記（１）〜（５）のいずれか１つに記載の表示シートに存する。
【００１５】
本発明は、（７）固形充填材が、側面がテーパーの延べ板状となっている上記（１）〜（５）のいずれか１つに記載の表示シートに存する。
【００１６】
本発明は、（８）第２軟質シート層が、軟質アルミニウム薄板からなる上記（１）〜（７）のいずれか１つに記載の表示シートに存する。
【００１７】
本発明は、（９）第２軟質シート層が、軟質塩化ビニル薄板からなる上記（１）〜（７）のいずれか１つに記載の表示シートに存する。
【００１８】
本発明は、（１０）第１軟質シート層の表面には汚れ防止層が積層されている上記（１）〜（９）のいずれか１つに記載の表示シートに存する。
【００１９】
本発明は、（１１）汚れ防止層がフッ素樹脂又はシリコーン樹脂からなる上記（１０）記載の表示シートに存する。
【００２０】
本発明は、（１２）汚れ防止層が更にマット剤を含む上記（１１）記載の表示シートに存する。
【００２１】
本発明は、（１３）上記（１）〜（１２）のいずれか１つに記載の表示シートの製造方法であって、第１軟質シートの裏面に、表示模様を印刷する印刷工程と、印刷工程を経た第１軟質シートに突起部を形成して第１軟質シート層とする層形成工程と、突起部に接着剤を付与し、該接着剤を介して固形充填材を充填する嵌合工程と、第１軟質シート層の裏面に、接着剤を付与し、該接着剤を介して第２軟質シートを接着固定することにより第２軟質シート層を形成する層接着工程と、第２軟質シート層の裏面に、粘着剤を付与し、該粘着剤を介して離型材を粘着することにより離型材層を形成する層粘着工程と、を備える表示シートの製造方法に存する。
【発明の効果】
【００２２】
本発明の表示シートは、突起部の内側に、別途製造した固形充填材を充填させることにより、十分な高さの突起部を容易に形成することができる。このとき、固形充填材をポリウレタン樹脂、塩化ビニル樹脂、ポリエステル樹脂及びポリアミド樹脂からなる群より選ばれる少なくとも１種の樹脂からなるものとすることにより、突起部は、強度及び耐久性にも優れるものとなる。
【００２３】
本発明の表示シートにおいて、歩行者は、表示シートの突起部の上を歩くことにより、滑って転ぶことを防止することができ、特に、弱視者は、突起部と凹部との触覚差を十分に感じることができ、道路の方向や目的物の位置を知ることができる。
【００２４】
本発明の表示シートにおいては、固形充填材を第１軟質シート層と第２軟質シート層とで挟持した構成とすることにより、表示シートの上を歩行者が歩行したとしても、突起部の内側の固形充填材自体は、第１軟質シート層に被覆されているので、摩耗が防止される。
また、例えば、歩行者が表示シートの上を歩く等して突起部に靴が衝突しても、固形充填材は、突起部の内側に接着されているので、固形充填材が突起部の内側から剥がれることにより、衝撃のエネルギーを吸収することができる（ショックアブソーバー効果）。そのため、第１軟質シート層又は第２軟質シート層が破れることを防止することができる。なお、固形充填材が突起部の内側から剥がれたとしても、固形充填材は、第１軟質シート層と第２軟質シート層とにより挟持されているので、突起部が離脱することはない。
【００２５】
本発明の表示シートにおいては、固形充填材が、突起部の内側に接着剤を介して充填されている場合、耐久性が向上する。
このとき、固形充填材が円錐台状であると、方向性がないので、表示シートの上を歩行者が歩行したとしても、どの方向に対しても固形充填材の摩耗を抑制できる。
また、固形充填材が、側面がテーパーの延べ板状であると、例えば、歩行者が杖等を突起部に添わせることで、歩行者を案内することができる。
【００２６】
本発明の表示シートにおいては、透明の第１軟質シート層の裏面には、表示模様印刷が施されている場合、突起部だけでなく、表示模様によっても歩行者を案内することができる。
また、表示模様印刷を透明の第１軟質シート層の裏面に施すことにより、雨や摩耗による表示模様の消失が防止される。
【００２７】
本発明の表示シートにおいては、第１軟質シート層がポリウレタン樹脂又は塩化ビニル樹脂からなる場合、高強度であり、且つ軽量とすることができる。
【００２８】
本発明の表示シートにおいては、第２軟質シート層が、軟質アルミニウム薄板からなる場合、塑性変形した形態を保持できるため（形態保持効果）、設置個所の形状に追従させ且つその状態を無理なく保持させることが可能となる。例えば、設置個所の形状が階段のように折れ曲がった部分であっても、表示シートの形状を、設置個所の形状に追従させて貼着することが容易に可能となる。
【００２９】
本発明の表示シートにおいては、第２軟質シート層が、軟質塩化ビニル薄板からなる場合、紫外線吸収剤、消泡剤、分散剤、難燃剤、着色剤等を容易に添加することができる。
また、これにより、各性能を向上させることができる。
【００３０】
本発明の表示シートにおいては、第１軟質シート層の表面には汚れ防止層が積層されている場合、汚れの付着を防止できる。これにより、経時的に汚れが付着し、表示模様が見辛くなることを防止できる。なお、汚れ防止層がフッ素樹脂又はシリコーン樹脂からなるものであると、汚れの付着をより防止できる。
また、汚れ防止層が更にマット剤を含むことにより、汚れを防止できると共に、滑り止めの効果を発揮することもできる。
【００３１】
本発明の表示シートの製造方法においては、十分な高さの突起部を容易に形成することができ、しかも、突起部の強度及び耐久性にも優れる表示シートが得られる。
【図面の簡単な説明】
【００３２】
【図１】図１は、第１実施形態に係る表示シートを模式的に示す断面図である。
【図２】図２は、第１実施形態に係る表示シートの製造方法を示すフローチャートである。
【図３】図３は、第１実施形態に係る表示シートの製造方法における層形成工程を説明するための説明図である。
【図４】図４は、第１実施形態に係る表示シートの製造方法における嵌合工程を説明するための説明図である。
【図５】図５は、第２実施形態に係る表示シートを模式的に示す断面図である。
【図６】図６の（ａ）〜図６の（ｃ）は、他の実施形態に係る表示シートの固形充填材の例を模式的に示す断面図であり、図６の（ｄ）及び図６の（ｅ）は、模式的に示す斜視図である。
【図７】図７は、図６の（ｅ）に示す固形充填材を用いた場合の表示シートを模式的に示す斜視図である。
【発明を実施するための形態】
【００３３】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００３４】
［第１実施形態］
図１は、第１実施形態に係る表示シートを模式的に示す断面図である。
図１に示すように、第１実施形態に係る表示シート１０は、突起部１ａを有する透明の第１軟質シート層１と、該突起部１ａの内側に接着剤１３を介して充填された固形充填材２と、第１軟質シート層１の裏面に接着剤１１を介して積層された第２軟質シート層３と、該第２軟質シート層３の裏面に粘着剤１２を介して積層された離型材層４と、を備える。
【００３５】
第１実施形態に係る表示シート１０においては、突起部１ａの内側に、別途製造した固形充填材２を充填させることにより、強度に優れる十分な高さの突起部１ａを容易に形成することができる。
なお、突起部１ａの高さＨは、突起部と凹部との触覚差を明確にする観点から、警告表示の場合は５ｍｍ以上、誘導表示の場合は０．５ｍｍ以上であることが好ましい。
また、歩行者は、表示シート１０の突起部１ａの上を歩くことにより、滑って転ぶことを防止することができ、特に、弱視者は、表示シート１０の突起部１ａの上を歩くことにより、突起部と非突起部との触覚差を十分に感じることができ、道路の方向や目的物の位置を知ることができる。
【００３６】
ここで、第１軟質シート層１の材質としては、シリコーン樹脂、ポリアクリル樹脂、ポリアミド樹脂、ポリウレタン樹脂、塩化ビニル樹脂又はポリエステルエラストマー等が挙げられる。これらの中でも、第１軟質シート層１の材質は、高強度であり且つ軽量であることから、ポリウレタン樹脂又は塩化ビニル樹脂からなることが好ましく、伸縮性の観点から、ポリウレタン樹脂からなることがより好ましい。
また、これらの樹脂には、紫外線吸収剤、消泡剤、分散剤、難燃剤、着色剤等が含まれていてもよい。
【００３７】
第１軟質シート層１としては、耐候性の観点から、上記樹脂からなるフィルムが用いられる。このとき、第１軟質シート層１の厚みは、０．２〜１．０ｍｍであることが好ましい。
また、第１軟質シート層１には、着色剤が含まれておらず、無色透明であることが好ましい。この場合、第１軟質シート層１の裏面に、表示模様印刷を施すことにより、表示模様が表示シート１０の表面側から視認できるようになる。
【００３８】
ここで、表示模様とは、文字や絵柄等を意味する。
第１軟質シート層１の裏面に、表示模様印刷を施すことにより、突起部１ａだけでなく、表示模様によっても歩行者を案内することが可能となる。すなわち、表示模様により、歩行者に警告したり、歩行者を誘導したりすることができる。
また、第１軟質シート層１の裏面に印刷するので、雨や摩耗等により表示模様が消失されることを防止できる。
【００３９】
表示模様を形成するインクは、市販の塗料を用いることができる。なお、かかるインクとしては、顔料が主に用いられるが、蛍光顔料、蓄光材、耐候向上剤等が含まれていてもよい。
【００４０】
第１軟質シート層１は、一定の間隔をおいて、突起部１ａが形成されている。
かかる突起部１ａは、第１軟質シート層１の面方向に対して、垂直方向（上方）に突出しており、内部が空間となっている。
そして、突起部１ａの内部空間には、接着剤１３を介して、固形充填材２が充填される。これにより、表示シート１０の耐久性が向上する。
【００４１】
ここで、接着剤１３としては、アクリル樹脂系接着剤、ＥＶＡ樹脂系接着剤、酢酸ビニル共重合樹脂系接着剤、イソシアネート系、エポキシ樹脂系接着剤、ポリウレタン系接着剤等が挙げられる。これらの中でも、接着剤１３は、耐光性及び相溶性の観点から、アクリル系であることが好ましい。この場合、突起部１ａの内側と固形充填材２とを確実に接着固定できる。
【００４２】
表示シート１０においては、固形充填材２が、接着剤１１，１３を介して、第１軟質シート層１と第２軟質シート層３とで挟持された構成となるので、表示シート１０の上を歩行者が歩行したとしても、突起部１ａの内側の固形充填材２自体は、第１軟質シート層１に被覆されているので、摩耗が防止される。
また、例えば、歩行者が表示シート１０の上を歩く等して突起部１ａに靴が衝突しても、固形充填材２は、突起部１ａの内側に接着されているので、固形充填材２が突起部１ａの内側から剥がれることにより、第１軟質シート層１が引っ張られることなく、衝撃のエネルギーを吸収することができる（ショックアブソーバー効果）。なお、固形充填材２が突起部１ａの内側から剥がれたとしても、固形充填材２は、第１軟質シート層１と第２軟質シート層３とにより挟持されているので、突起部１ａが離脱することはない。
【００４３】
ここで、固形充填材２の材質としては、ポリウレタン樹脂、塩化ビニル樹脂、ポリエステル樹脂及びポリアミド樹脂からなる群より選ばれる少なくとも１種の樹脂が挙げられる。
これらを用いることにより、突起部１ａは、強度及び耐久性にもより優れるものとなる。
また、固形充填材２は、これらの樹脂を塊状とすることにより得られる。このとき、固形充填材２は、円錐台状であることが好ましい。この場合、方向性がないので、表示シート１０の上を歩行者が歩行したとしても、どの方向に対しても固形充填材２の摩耗を抑制できる利点がある。また、突起部１ａ上に膝等を付いたとしても、極力痛みを抑制することができる。
【００４４】
図１に戻り、第２軟質シート層３の材質としては、軟質アルミニウム薄板、軟質塩化ビニル薄板、ポリエステル薄板、ゴムシート等が挙げられる。
これらの中でも、第２軟質シート層３の材質が、軟質アルミニウム薄板である場合、復元性がなく、塑性して変形し形態を保持できるため（形態保持効果）、設置個所の形状に追従させ且つその状態を無理なく保持させることが可能となる。例えば、設置個所の形状が階段のように折れ曲がった部分であっても、表示シートの形状を、設置個所の形状に追従させて貼着することが容易に可能となる。
また、第２軟質シート層３の材質が、軟質塩化ビニル薄板である場合、軟質塩化ビニルに、紫外線吸収剤、消泡剤、分散剤、難燃剤、着色剤等を容易に添加することができる。
【００４５】
第２軟質シート層３は、耐候性の観点からも、上記軟質アルミニウム薄板又は軟質塩化ビニル薄板からなるフィルムが用いられる。このとき、第２軟質シート層３の厚みは、０．１〜１．０ｍｍであることが好ましい。
また、第２軟質シート層３は、白色顔料等で着色されていることが好ましい。この場合、第２軟質シート層をベタ柄とすることで、上述した表示模様をより視認しやすくすることができる。
【００４６】
表示シート１０において、第１軟質シート層１と第２軟質シート層３とは、固形充填材２以外の部分が接着剤１１により接着固定される。すなわち、第１軟質シート層１、接着剤１１からなる接着剤層、第２軟質シート層３がこの順序で積層される。
なお、接着剤１１としては、上述した接着剤１３と同じものが用いられる。この場合、第１軟質シート層１と、第２軟質シート層３とを確実に接着固定することができる。
【００４７】
ここで、表示シート１０は、対象となる部分に粘着して用いられる。このため、第２軟質シート層３の裏面には、粘着剤１２を介して離型材層４が形成されている。換言すると、第２軟質シート層３と離型材層４とは、粘着剤１２により粘着固定される。
したがって、表示シート１０は、第２軟質シート層３、粘着剤１２からなる粘着剤層、離型材層４がこの順序で積層されていることになる。
【００４８】
離型材層４の材質としては、粘着剤に対する剥離性が良好であれば特に限定されないが、例えば、離型処理したプラスチックシート、フィルム、紙等の離型材が挙げられる。なお、離型処理の方法としては、例えば、シリコーン、フッ素系樹脂、ポリオレフィン、メラミン又は電離放射線硬化性樹脂等を塗工する方法が挙げられる。
【００４９】
離型材層４は、粘着剤を保護する目的で用いられる。すなわち、表示シート１０を実際に使用する際には、表示シート１０の離型材層４を剥がし、剥き出しになった粘着剤の部分を設置個所に貼着することにより、表示シート１０が設置個所に設置される。
なお、離型材層４の厚みは、０．０５〜０．３ｍｍであることが好ましい。
【００５０】
粘着剤１２としては、例えば、ゴム系粘着剤、アクリル系粘着剤、シリコーン系粘着剤、ウレタン系粘着剤等が挙げられる。なお、この材質の選択は、設置個所であるアスファルト、コンクリート、石材、タイル又は木材等の材質に応じて適宜決定される。
【００５１】
次に、第１実施形態に係る表示シート１０の製造方法について説明する。
図２は、第１実施形態に係る表示シートの製造方法を示すフローチャートである。
図２に示すように、第１実施形態に係る表示シート１０の製造方法は、第１軟質シートの裏面に、表示模様を印刷する印刷工程Ｓ０と、印刷工程Ｓ０を経た第１軟質シートに突起部１ａを形成して第１軟質シート層１とする層形成工程Ｓ１と、突起部１ａに接着剤を付与し、該接着剤を介して固形充填材２を充填する嵌合工程Ｓ２と、第１軟質シート層１の裏面に、接着剤を付与し、該接着剤を介して第２軟質シートを接着固定することにより第２軟質シート層３を形成する層接着工程Ｓ３と、第２軟質シート層３の裏面に、粘着剤１２を付与し、該粘着剤１２を介して離型材を粘着することにより離型材層４を形成する層粘着工程Ｓ４と、を備える。
第１実施形態に係る表示シート１０の製造方法によれば、十分な高さの突起部１ａを容易に形成することができ、しかも、簡単な工程で、突起部１ａの強度及び耐久性に優れる表示シート１０が得られる。
【００５２】
以下、各工程について更に詳細に説明する。
（印刷工程）
印刷工程Ｓ０は、第１軟質シートの裏面に、表示模様を印刷する工程である。
印刷工程Ｓ０を施すことにより、得られる表示シート１０は、突起部１ａだけでなく、表示模様によっても歩行者を案内することが可能となる。
なお、印刷方法としては、特に限定されず、転写、スクリーン印刷、スプレー印刷、グラビア印刷、インクジェット印刷等が挙げられる。
【００５３】
（層形成工程）
層形成工程Ｓ１は、印刷工程Ｓ０を経た第１軟質シート２１に突起部１ａを形成して第１軟質シート層１とする工程である。
図３は、第１実施形態に係る表示シートの製造方法における層形成工程を説明するための説明図である。
図３に示すように、層形成工程Ｓ１においては、まず、所定の凹部を有する凹状金型２１ａと該凹部に対応する凸部を有する凸状金型２１ｂとの間に第１軟質シート２１を配置する。
そして、凹状金型２１ａと凸状金型２１ｂとで第１軟質シート２１を熱プレスし、第１軟質シート２１に突起部１ａを形成することにより、凹凸状となった第１軟質シート層１が得られる。
【００５４】
このとき、突起部１ａ同士の間隔は、凹状金型２１ａ及び凸状金型２１ｂの形状によって決定される。
また、熱プレスの加熱条件は、第１軟質シートの軟化点以上且つ融点以下であれば、特に限定されない。
【００５５】
（嵌合工程）
嵌合工程Ｓ２は、層形成工程Ｓ１で得られた第１軟質シート層１の突起部１ａに接着剤１３を付与し、該接着剤１３を介して固形充填材２を充填する工程である。
【００５６】
図４は、第１実施形態に係る表示シートの製造方法における嵌合工程を説明するための説明図である。
図４に示すように、層形成工程Ｓ１において形成された第１軟質シート２１の突起部１ａに、接着剤１３を付与する。
そして、該接着剤１３を介して、別途製造した固形充填材２が嵌め込まれる。
【００５７】
（層接着工程）
層接着工程Ｓ３は、第１軟質シート層１の裏面に、第２軟質シートを接着固定することにより第２軟質シート層３を形成する工程である。
層接着工程Ｓ３においては、第２軟質シートの上に、接着剤１１を付与し、該接着剤１１を介して、第１軟質シート層１及び固形充填材２と第２軟質シートとを一体化する。
【００５８】
（層粘着工程）
層粘着工程Ｓ４は、第２軟質シート層３の裏面に、粘着剤１２を付与し、該粘着剤１２を介して離型材を粘着することにより離型材層４を形成する工程である。
【００５９】
これらの工程を経ることにより、第１実施形態に係る表示シート１０が得られる。
【００６０】
［第２実施形態］
図５は、第２実施形態に係る表示シートを模式的に示す断面図である。
図５に示すように、第２実施形態に係る表示シート３０は、突起部１ａを有する透明の第１軟質シート層１と、第１軟質シート層１の表面に積層された汚れ防止層３１と、突起部１ａの内側に充填された固形充填材２と、第１軟質シート層１の裏面に接着剤１１を介して積層された第２軟質シート層３と、該第２軟質シート層３の裏面に粘着剤１２を介して積層された離型材層４と、を備える。すなわち、第２実施形態に係る表示シート３０は、第１軟質シート層１の表面に汚れ防止層３１が積層されていること以外は、第１実施形態に係る表示シート１０と同じである。
【００６１】
第２実施形態に係る表示シート３０においては、第１軟質シート層１の表面に汚れ防止層３１が積層されているので、汚れの付着を防止できる。これにより、経時的に汚れが付着し、表示模様が見辛くなることを防止できる。
【００６２】
ここで、汚れ防止層３１の材質としては、フッ素樹脂、シリコーン樹脂等が挙げられる。汚れ防止層３１が、フッ素樹脂又はシリコーン樹脂からなるものであると、汚れの付着をより防止できる。
【００６３】
また、汚れ防止層３１には、更にフッ素樹脂粉末、ガラスビーズ等のマット剤が含まれていることが好ましい。この場合、汚れを防止できると共に、滑り止めの効果を発揮することもできる。なお、マット剤の含有量は、５〜３０質量％含まれていることが好ましい。
【００６４】
第２実施形態に係る表示シート３０の製造方法は、例えば、上述した第１実施形態に係る表示シート１０を製造した後、汚れ防止剤を付与することにより得られる。すなわち、層粘着工程Ｓ４後、第１軟質シート層の表面に、汚れ防止剤を付与する付与工程を施せばよい。
【００６５】
以上、本発明の好適な実施形態について説明したが、本発明は上述した実施形態に限定されるものではない。
【００６６】
例えば、第１実施形態に係る表示シート１０において、突起部１ａの内部空間には、接着剤１３を介して、固形充填材２が充填されているが、接着剤１３を介さなくてもよい。すなわち、固形充填材２が突起部１ａの内部空間に接着固定されていなくてもよい。
また、固形充填材２を別途製造しているが、突起部１ａに紫外線硬化樹脂を流し込み、紫外線硬化させることにより、突起部１ａに充填された固形充填材２としてもよい。この場合、接着剤を介さなくても両者を一体化させることができる。
【００６７】
同様に、固形充填材２は、第２軟質シート層３に対し、接着剤１１を介して接着固定されているが、接着剤を介さなくてもよい。すなわち、固形充填材２が第２軟質シート層３に対し接着固定されていなくてもよい。
【００６８】
また、第１軟質シート層１と第２軟質シート層３とは、接着剤１１を介して接着固定されているが、接着剤１１を用いず、第１軟質シート層１と第２軟質シート層３とを互いに溶着により接着固定してもよい。すなわち、第１軟質シート層１と第２軟質シート層３とに対し、ラミネート加工等を施して両者を接着固定してもよい。但し、この場合、第２軟質シート層３としては、第１軟質シート層１と相溶性が優れる樹脂を用いることが必要となる。
【００６９】
第１実施形態に係る表示シート１０において、固形充填材２の形状は、円錐台状となっているが、円錐状、多角錐状、多角錐台状等であってもよい。
図６の（ａ）〜図６の（ｃ）は、他の実施形態に係る表示シートの固形充填材の例を模式的に示す断面図であり、図６の（ｄ）及び図６の（ｅ）は、模式的に示す斜視図である。
図６の（ａ）に示す固形充填材２ａは、表面に小さな凹凸が設けられている。これにより、当該固形充填材２ａは、表面積が増加するので、第１軟質シート層との接着性が向上する。なお、凹凸は、サンドブラスト加工やプラズマ加工により設けることができる。
図６の（ｂ）に示す固形充填材２ｂは、固形充填材２ｂの内部に空隙が設けられている。このため、当該固形充填材２ｂは、軽量化でき且つ低コストで製造できることに加え、柔軟性も向上する。
図６の（ｃ）に示す固形充填材２ｃは、固形充填材２ｃの中心部に貫通孔が設けられている。このため、当該固形充填材２ｃは、接着の際に、接着剤が貫通孔に入り込むため、接着性がより向上する。
図６の（ｄ）に示す固形充填材２ｄは、固形充填材２ｄの周囲に上下に延びる溝が複数設けられている。このため、当該固形充填材２ｄは、接着の際に、接着剤が溝に入り込むため、接着性がより向上する。
図６の（ｅ）に示す固形充填材２ｅは、固形充填材２ｅが、側面がテーパーの延べ板状となっている。
この場合、図７に示すように、表示シート４０は、突起部１ｂの形状も側面がテーパーの延べ板状となる。
この場合、例えば、歩行者が杖等を突起部１ｂに添わせることで、歩行者を案内することが可能となる。
【００７０】
第１実施形態に係る表示シート１０において、第１軟質シート層１には、着色剤が含まれておらず、無色透明となっているが、着色されていてもよい。
また、第２軟質シート層３は、白色顔料等で着色されているが、別の色の顔料で着色されていてもよく、無色透明であってもよい。
【００７１】
本発明第１実施形態に係る表示シート１０においては、第２軟質シート層３の裏面に粘着剤１２を介して離型材層４が積層されているが、離型材層は必ずしも備える必要はない。例えば、簡易的に使用する場合、第２軟質シート層としてゴムシートを用い、粘着剤を用いずに設置することも可能である。
【産業上の利用可能性】
【００７２】
本発明に係る表示シート１０は、道路に設置して用いられる。本発明に係る表示シート１０によれば、歩行者が、表示シート１０の突起部１ａの上を歩く場合、滑って転ぶことを防止することができ、また、歩行者の中でも弱視者は、突起部１ａと非突起部との触覚差により、道路の方向や目的物の位置を知ることができる。
【符号の説明】
【００７３】
１・・・第１軟質シート層
１ａ，１ｂ・・・突起部
２，２ａ，２ｂ，２ｃ，２ｄ，２ｅ・・・固形充填材
３・・・第２軟質シート層
４・・・離型材層
１０，３０，４０・・・表示シート
１１・・・接着剤
１２・・・粘着剤
２１・・・第１軟質シート
２１ａ・・・凹状金型
２１ｂ・・・凸状金型
３１・・・汚れ防止層
５０・・・靴
Ｓ０・・・印刷工程
Ｓ１・・・層形成工程
Ｓ２・・・嵌合工程
Ｓ３・・・層接着工程
Ｓ４・・・層粘着工程
【図１】
2014167599.tif 000003
【図２】
2014167599.tif 000004
【図３】
2014167599.tif 000005
【図４】
2014167599.tif 000006
【図５】
2014167599.tif 000007
【図６】
2014167599.tif 000008
【図７】
2014167599.tif 000009